(57)【特許請求の範囲】
【請求項１】
スラブＳ上に敷き詰められたフロア材１・１…の床下において、レベル調節自在なフロアポスト２が付加的に設置された床下の補強構造であって、
前記フロアポスト２は床受け板21にスクリューロッド22を螺合して、かつ、当該床受け板21の支持面21ａに着脱可能な接着機能を付与して構成されている一方、
フロア材１には差し口11が開口されており、この差し口11に前記フロアポスト２の床受け板21が挿通可能であって、
この挿通された床受け板21の支持面21ａが上向きにされた状態でフロア材１の床下で回転または水平移動した位置において、当該床受け板21が上方に持ち上げられて支持面21ａの少なくとも一部がフロア材１の裏面に接着されることにより仮止めして設置位置を決定することができ、
スクリューロッド22の頭部22ａを回転することによって脚部22ｂがスラブＳ上に接地してフロアポスト２が定立することによってフロア材１の床下を補強可能であることを特徴とするフロアポストを用いた床下補強構造。
【請求項２】
フロア材１の差し口11の周縁に逃げ孔11ａが延成され、この逃げ孔11ａにおいてスクリューロッド22の頭部22ａが位置するようにフロアポスト２が設置されたことを特徴とする請求項１記載のフロアポストを用いた床下補強構造。
【請求項３】
フロアポスト２において、スクリューロッド22の頭部22ａが床受け板21の支持面21ａから突出して螺合されており、このスクリューロッド22の頭部22ａ外周に硬化性接着剤Ｂが充填されてフロア材１の差し口11の内面に固着されていることを特徴とする請求項１または２記載のフロアポストを用いた床下補強構造。
【請求項４】
フロア材１の差し口11にキャップ部材12が被嵌可能であることを特徴とする請求項１〜３の何れか一つに記載のフロアポストを用いた床下補強構造。
【請求項５】
フロアポスト２の床受け板21が円形であることを特徴とする請求項１〜４の何れか一つに記載のフロアポストを用いた床下補強構造。
【請求項６】
支持面21ａの接着機能が、当該支持面に貼着された粘着性両面テープＡによって付与されていることを特徴とする請求項１〜５の何れか一つに記載のフロアポストを用いた床下補強構造。
【請求項７】
スラブＳ上に敷き詰められたフロア材１・１…の床下において、レベル調節自在なフロアポスト２を付加的に設置して床下を補強するにあたり、
前記フロアポスト２は床受け板21にスクリューロッド22を螺合して、かつ、当該床受け板21の支持面21ａに着脱可能な接着機能を付与して構成されている一方、
フロア材１には差し口11が開口されており、この差し口11に前記フロアポスト２の床受け板21を挿通し、
この挿通した床受け板21の支持面21ａを上向きにした状態でフロア材１の床下で回転または水平移動せしめた後、当該床受け板21を上方に持ち上げることによって、支持面21ａの少なくとも一部をフロア材１の裏面に接着せしめて仮止めして設置位置を決定した後、
前記スクリューロッド22の頭部22ａを回転することによって脚部22ｂをスラブＳ上に接地せしめてフロアポスト２を定立することによってフロア材１の床下を補強することを特徴とするフロアポストを用いた床下補強構造の施工方法。
【請求項８】
フロア材１の差し口11の周縁に逃げ孔11ａを延成し、この逃げ孔11ａにおいてスクリューロッド22の頭部22ａが位置するようにフロアポスト２を設置することを特徴とする請求項７記載のフロアポストを用いた床下補強構造の施工方法。
【請求項９】
フロアポスト２において、スクリューロッド22の頭部22ａが床受け板21の支持面21ａから突出して螺合されており、このスクリューロッド22の頭部22ａ外周に硬化性接着剤Ｂを充填してフロア材１の差し口11の内面に固着することを特徴とする請求項７または８記載のフロアポストを用いた床下補強構造の施工方法。
【請求項１０】
フロア材１の差し口11にキャップ部材12を被嵌することを特徴とする請求項７〜９の何れか一つに記載のフロアポストを用いた床下補強構造の施工方法。
【発明の詳細な説明】
【０００１】
【発明の属する技術分野】
本発明は、建築現場における床下補強構造の改良、更に詳しくは、既設のフロア材に大きな加工を施すことなく、フロアポストを付加的に設置してフロア材の支持強度を増強することができ、しかも、施工性にも非常に優れたフロアポストを用いた床下補強構造、およびその施工方法に関するものである。
【０００２】
【従来の技術】
最近の建造物の床組み構造は、スラブ上にフロアポストを立設してフロア材を支持している。ところで、部屋に間仕切りを設置する場合、間仕切りの床下には大きな支持力が必要なのであるが、既にフロアポストを配設した後で設計変更されて設置位置を変更することがあり、床下を十分に支持できないという不満があった。また、重量のある家具やピアノなどが載置された部分が撓んでしまうという問題があり、そのままの強度では到底支持することができないために床下を補強する必要がある。
【０００３】
そこで、従来、既設のフロア材の床下を補強するためには、一旦、フロア材に穴を開け、その中にフロアポストを付加的に設置していたのであるが、この際、設置したフロアポストを昇降調節するために手が入るほどの大きな開口部を設けねばならず、その箇所を復旧したとしても、フロア材の剛性が低下していて強度を保持できないというおそれがあった。
【０００４】
【発明が解決しようとする課題】
本発明は、従来のフロアポストを用いた補強構造に上記のような不満があったことに鑑みて為されたものであり、その目的とするところは、既設のフロア材に大きな加工を施すことなく、フロアポストを付加的に設置してフロア材の支持強度を増強することができ、しかも、施工性にも非常に優れたフロアポストを用いた床下補強構造、およびその施工方法を提供することにある。
【０００５】
【課題を解決するための手段】
本発明者が上記課題を解決するために採用した手段を添付図面を参照して説明すれば次のとおりである。
【０００６】
即ち、本発明は、スラブＳ上に敷き詰められたフロア材１・１…の床下において、レベル調節自在なフロアポスト２が付加的に設置された床下の補強構造であって、
前記フロアポスト２は床受け板21にスクリューロッド22を螺合して、かつ、当該床受け板21の支持面21ａに着脱可能な接着機能を付与して構成されている一方、
フロア材１には差し口11が開口されており、この差し口11に前記フロアポスト２の床受け板21が挿通可能であって、
この挿通された床受け板21の支持面21ａが上向きにされた状態でフロア材１の床下で回転または水平移動した位置において、当該床受け板21が上方に持ち上げられて支持面21ａの少なくとも一部がフロア材１の裏面に接着されることにより仮止めして設置位置を決定することができ、
スクリューロッド22の頭部22ａを回転することによって脚部22ｂがスラブＳ上に接地してフロアポスト２が定立することによってフロア材１の床下を補強可能であるという技術的手段を採用してフロアポストを用いた床下補強構造を完成させた。
【０００７】
（削除）
【０００８】
更にまた、本発明は、上記課題を解決するために、必要に応じて上記手段に加え、フロア材１の差し口11の周縁に逃げ孔11ａを延成し、この逃げ孔11ａにおいてスクリューロッド22の頭部22ａが位置するようにフロアポスト２を設置するという技術的手段を採用した。
【０００９】
更にまた、本発明は、上記課題を解決するために、必要に応じて上記手段に加え、フロアポスト２において、スクリューロッド22の頭部22ａが床受け板21の支持面21ａから突出して螺合されており、このスクリューロッド22の頭部22ａ外周に硬化性接着剤Ｂが充填されてフロア材１の差し口11の内面に固着するという技術的手段を採用した。
【００１０】
更にまた、本発明は、上記課題を解決するために、必要に応じて上記手段に加え、フロア材１の差し口11にキャップ部材12が被嵌可能であるという技術的手段を採用した。
【００１１】
更にまた、本発明は、上記課題を解決するために、必要に応じて上記手段に加え、フロアポスト２の床受け板21が円形であるという技術的手段を採用した。
【００１２】
更にまた、本発明は、上記課題を解決するために、必要に応じて上記手段に加え、支持面21ａの接着機能が、当該支持面に貼着された粘着性両面テープＡによって付与されているという技術的手段を採用した。
【００１３】
また、本発明は、スラブＳ上に敷き詰められたフロア材１・１…の床下において、レベル調節自在なフロアポスト２を付加的に設置して床下を補強するにあたり、
前記フロアポスト２は床受け板21にスクリューロッド22を螺合して、かつ、当該床受け板21の支持面21ａに着脱可能な接着機能を付与して構成されている一方、
フロア材１には差し口11が開口されており、この差し口11に前記フロアポスト２の床受け板21を挿通し、
この挿通した床受け板21の支持面21ａを上向きにした状態でフロア材１の床下で回転または水平移動せしめた後、当該床受け板21を上方に持ち上げることによって、支持面21ａの少なくとも一部をフロア材１の裏面に接着せしめて仮止めして設置位置を決定した後、
前記スクリューロッド22の頭部22ａを回転することによって脚部22ｂをスラブＳ上に接地せしめてフロアポスト２を定立することによってフロア材１の床下を補強するという技術的手段を採用してフロアポストを用いた床下補強構造の施工方法を完成させた。
【００１４】
（削除）
【００１５】
更にまた、本発明は、上記課題を解決するために、必要に応じて上記手段に加え、フロア材１の差し口11の周縁に逃げ孔11ａを延成し、この逃げ孔11ａにおいてスクリューロッド22の頭部22ａが位置するようにフロアポスト２を設置するという技術的手段を採用した。
【００１６】
更にまた、本発明は、上記課題を解決するために、必要に応じて上記手段に加え、フロアポスト２において、スクリューロッド22の頭部22ａが床受け板21の支持面21ａから突出して螺合されており、このスクリューロッド22の頭部22ａ外周に硬化性接着剤Ｂを充填してフロア材１の差し口11の内面に固着するという技術的手段を採用した。
【００１７】
更にまた、本発明は、上記課題を解決するために、必要に応じて上記手段に加え、フロア材１の差し口11にキャップ部材12を被嵌するという技術的手段を採用した。
【００１８】
【発明の実施の形態】
本発明の実施形態を具体的に図示した図面に基いて更に詳細に説明すると次のとおりである。
【００１９】
本発明の実施形態を図１から図１１に基いて説明する。図中、符号１で指示するものはフロア材であり、このフロア材１は単板や二重床、下地板、捨張板、仕上げ材などであり、本実施形態では下地板であって、これらフロア材１・１…がスラブＳ上に敷き詰められている。
【００２０】
符号２で指示するものはフロアポストであり、このフロアポスト２は床受け板21にスクリューロッド22を螺合して構成されている。使用材料としては合成樹脂や金属を採用することができるが、本実施形態では、軽量で成形性に優れた合成樹脂を採用する。
【００２１】
しかして、本実施形態におけるフロアポストを用いた床下補強構造を施工する手順を具体的に説明する。まず、フロア材１には差し口11を開口し、この差し口11に前記フロアポスト２の床受け板21を挿通する。この際、差し口11の大きさは床受け板21よりも若干大きいくらいに構成する（図１および図２参照）。
【００２２】
また、本実施形態では、フロアポスト２の床受け板21を円形に形成しており、この際、床受け板21に対応する円形の差し口11は、円形カッターを用いて簡単に開設することができる。また、フロアポスト２の床受け板21の支持面21ａに接着機能を付与しておく。
【００２３】
本実施形態では、フロア材１の差し口11の周縁に逃げ孔11ａを延成し、この逃げ孔11ａにおいてスクリューロッド22の頭部22ａを位置させる。この際、逃げ孔11ａの大きさはスクリューロッド22の頭部22ａが収まる程度の径に作製されている。
【００２４】
次に、挿通した床受け板21を水平に移動せしめた後（図３および図４参照）、当該床受け板21を上方に持ち上げることによって、支持面21ａの少なくとも一部をフロア材１の裏面に接着せしめる（図５および図６参照）。この際、床受け板21の支持面21ａの接着機能として、粘着性両面テープＡを貼着することができ、この両面テープＡがフロア材に裏面に対して着脱可能であれば、位置を決定する前に仮止めすることができる。
【００２５】
そして、前記スクリューロッド22の頭部22ａを回転することによって脚部22ｂをスラブＳ上に接地せしめてフロアポスト２を定立することによってフロア材１の床下を補強することができるのである（図７参照）。然る後、必要に応じて、フロア材１の差し口11にキャップ部材12を被嵌することができ、このキャップ部材12を固着して閉塞することができる。このキャップ部材12は床受け板21にも支持されている。なお、フロア材１の上からビスＶを打ち込んで固定することも可能であり、より確実に設置することができる（図８参照）。
【００２６】
また、フロアポスト２において、スクリューロッド22の頭部22ａが床受け板21の支持面21ａから突出するように螺合し、このスクリューロッド22の頭部22ａ外周に硬化性接着剤Ｂを充填してフロア材１の差し口11の内面に固着することができる（図８参照）。取り付ける際にスクリューロッド22の頭部22ａを床受け板21よりも突出させ、また、施工の際にはこの頭部22ａを持ちながら差し口11に挿入するので、フロア材１のレベルよりも突出させておくことが望ましい。そして、図８に示すように、下地材、床仕上げ材（フローリング、タイル、カーペットなど）を載置することができる。
【００２７】
また、本実施形態の変形例を図９および図１０に示す。図示のように、フロアポスト２の床受け板21およびフロア材１の差し口11を長方形に作製し、この床受け板21を差し口11に差し込んで、回転せしめた後、上方に持ち上げることによって支持面21ａの少なくとも一部をフロア材１の裏面に接着せしめる。この形状に作製すると、フロア材１に対する支持面21ａの当接面積を大きくすることができ、また、差し口11の開口によるフロア材１の剛性損失が小さい。
【００２８】
また、図１１に示すように、フロア材１・１…が間隔をおいて敷き詰められている場合においては、これらのフロア材１を跨ぐようにしてフロアポスト２を設置することが可能であり、差し口11を必ずしも開設する必要がない。
【００２９】
本発明は概ね上記のように構成されるが、本発明は図示の実施形態に限定されるものでは決してなく、「特許請求の範囲」の記載内において種々の変更が可能であって、例えば、フロアポスト２の床受け板21の形状は、円形や長方形に限らず、多角形などの他形状に変更ができる。また、接着機能は粘着性両面テープに限らず、粘着性のプラスチックでも良いし、硬化性のものであっても良い。
【００３０】
また、フロアポスト２のスクリューロッド22の頭部22ａを回転して螺合し易くするようにこの頭部22ａに六角や十字形、マイナス形のすりわりを形成することもでき、何れのものも本発明の技術的範囲に属する。
【００３１】
【発明の効果】
以上、実施形態をもって説明したとおり、本発明においては、床受け板が挿通可能な差し口を開設するという最小限の加工をするだけで、フロアポストを床下に付加的に配設することができるので、既設のフロア材に大きな開口部を開設しなくても良い。
【００３２】
また、フロア材を敷設したまま、所要の位置に手軽に施工することができるので、フロア材を捲くり上げる手間がなく、また、設置後のフロアポストのレベル調節も容易にできることから、建築材料としての利用価値は頗る高い。
【図面の簡単な説明】
【図１】  本発明の実施形態における施工状態を表わす説明斜視図である。
【図２】  本発明の実施形態における施工状態を表わす説明側面図である。
【図３】  本発明の実施形態における施工状態を表わす説明側面図である。
【図４】  本発明の実施形態における施工状態を表わす説明上面図である。
【図５】  本発明の実施形態における施工状態を表わす説明斜視図である。
【図６】  本発明の実施形態における施工状態を表わす説明側面図である。
【図７】  本発明の実施形態における施工状態を表わす説明側面図である。
【図８】  本発明の実施形態における施工状態を表わす説明側面図である。
【図９】  本発明の実施形態変形例における施工状態を表わす説明斜視図である。
【図１０】  本発明の実施形態変形例における施工状態を表わす説明上面図である。
【図１１】  本発明の実施形態変形例における施工状態を表わす説明上面図である。
【符号の説明】
１    フロア材
11  差し口
11ａ  逃げ孔
12  キャップ部材
２    フロアポスト
21  床受け板
21ａ  支持面
22  スクリューロッド
22ａ  頭部
22ｂ  脚部
Ｓ    スラブ
Ａ    粘着性両面テープ
Ｂ    硬化性接着剤
Ｖ    ビス
【図１】
0003986341.tif 000002
【図２】
0003986341.tif 000003
【図３】
0003986341.tif 000004
【図４】
0003986341.tif 000005
【図５】
0003986341.tif 000006
【図６】
0003986341.tif 000007
【図７】
0003986341.tif 000008
【図８】
0003986341.tif 000009
【図９】
0003986341.tif 000010
【図１０】
0003986341.tif 000011
【図１１】
0003986341.tif 000012